(57)【特許請求の範囲】
【請求項１】
被検体を配置させ支持する天板と、前記天板の外周部に着脱自在に付属物を固定するための固定部と、を備え、
前記固定部は、支持材と、前記支持材の一端に設置されたネジ部と、前記ネジ部の先端に設置されたクッション部と、前記支持材の他端に設置されたアタッチメント部と、を有して構成され、
前記固定部は、前記ネジ部の回転動作により、前記天板の表面に押圧される前記クッション部と前記天板の少なくとも一部の外周部の裏面に沿って形成された溝部に押圧される前記アタッチメント部によって前記天板に固定され、該固定の際、前記クッション部の中心であって前記天板の表面との接触部に対し、前記アタッチメント部の前記溝部との接触部は、前記天板の中央側に配置されるとともに、
前記付属物は肩当てであって、該肩当ては前記ネジ部に隣接する肩当て固定用のネジ部によって前記固定部に着脱自在に固定されること
を特徴とするＸ線診断装置。
【請求項２】
前記溝部は前記アタッチメントの押圧方向に幅が小さくなるテーパ状の側壁を有すること
を特徴とする請求項１に記載のＸ線診断装置。
【発明の詳細な説明】
【技術分野】
【０００１】
本発明は、たとえば肩当てあるいはハンドグリップ等の付属物が着脱自在に取り付けられる天板を具備するＸ線診断装置に関する。
【背景技術】
【０００２】
Ｘ線診断装置に具備される天板は、被検者を横臥させるように構成され、その平面形状は長方形状となっているのが通常であった。
【０００３】
天板に、たとえば肩当てあるいはハンドグリップ等の付属物を着脱自在に取り付けて用いることが必要とされる。この場合、前記付属物の天板への取付は、天板の側面に直接に固定させる固定部を介してなされるのが通常である（特許文献１参照）。
【特許文献１】特開平４−１８３４４７号公報
【発明の開示】
【発明が解決しようとする課題】
【０００４】
しかし、前記天板の形状によっては、たとえば肩当てあるいはハンドグリップ等の付属物を取り付ける場合、その取付箇所によっては、いわゆるガタが生じ該付属物を強固に固定できないということが指摘された。
【０００５】
本発明の目的は、天板に付属物を着脱自在に強固に取り付けることのできるＸ線診断装置を提供することにある。
【課題を解決するための手段】
【０００６】
本願において開示される発明のうち、代表的なものの概要を簡単に説明すれば、以下のとおりである。
【０００７】
被検体を配置させ支持する天板と、前記天板の外周部に着脱自在に付属物を固定するための固定部と、を備え、前記固定部は、支持材と、前記支持材の一端に設置されたネジ部と、前記ネジ部の先端に設置されたクッション部と、前記支持材の他端に設置されたアタッチメントと、を有して構成され、前記固定部は前記ネジ部の回転動作により前記クッション部は前記天板の表面に、前記アタッチメントは前記天板の少なくとも一部の外周部の裏面に沿って形成された溝に、それぞれ押圧されることで前記天板に固定され、該固定の際、前記クッション部の中心であって前記天板の表面との接触部に対し、前記アタッチメントの前記溝との接触部は、前記天板の中央側に配置されることを特徴とするX線診断装置。
【０００９】
なお、本発明は以上の構成に限定されず、本発明の技術思想を逸脱しない範囲で種々の変更が可能である。
【発明の効果】
【００１０】
このように構成したＸ線診断装置は、天板に付属物を着脱自在に強固に取り付けることができるようになる。
【発明を実施するための最良の形態】
【００１１】
以下、本発明によるＸ線診断装置の実施例を図面を用いて説明をする。
【００１２】
〈Ｘ線診断装置の寝台の概略構成〉
Ｘ線診断装置は、図２に示すように、被検者を長手方向に沿って支持する天板１を有しこの天板１を起倒可能に構成した寝台２を備えて構成される。天板１には、足置台３とともに、被検者の肩部位置に肩当て部４が、被検者の各腕位置にハンドグリップ５が設けられている。
【００１３】
また、前記寝台２は床６上に立脚して配置される軸体７に支持され、該軸体７の上部には被検者に対してＸ線曝射を行うＸ線管（図示せず）が取り付けられている。前記Ｘ線管および寝台は軸体７を介して一体的に起倒されるように構成されている。
【００１４】
Ｘ線管および寝台の起倒の際は、被検者は、その肩が前記肩当て部４に支持され、両手で前記ハンドグリップ５を握っていることにより、身体のバランスを保つことができるようになっている。
【００１５】
〈天板１の形状〉
ここで、前記天板１は、図３に示すように、それを平面的に観た場合、頭側および足側において幅を細くし、腹部側において幅を太くするようにして、人体形状に合わせた形状となっている。このため、前記天板１は、たとえば、被検者の長手方向（図中ｙ方向）に沿った各辺（長手方向辺）において曲部を有した形状となっている。
【００１６】
〈天板１に対する肩当て、ハンドグリップの取付け〉
図４は、前記天板１において、その肩部位置に一対の肩当て４が、また、各腕位置にそれぞれハンドグリップ５が着脱自在に取り付けられている状態を示した斜視図である。なお、この明細書において、このような肩当て４、およびハンドグリップ５を付属物と称する場合がある。そして、この付属物は上記肩当て４、およびハンドグリップ５のみに限らず、類似のものをも含む概念である。
【００１７】
一対の肩当て４において、その一方の肩当て４は天板１の右側（横臥する被検者から観て）の長手方向辺に装着される固定部１０を介して取り付けられており、他方の肩当て４は天板１の左側（横臥する被検者から観て）の長手方向辺に装着される固定部１０を介して取り付けられている。
【００１８】
一対のハンドグリップ５において、その一方のハンドグリップ５は、天板１の右側の長手方向辺に沿って配置され、その両端において、それぞれ、前記長手方向辺に装着される固定部１０を介して取り付けられており、他方のハンドグリップ５は、天板１の左側の長手方向辺に沿って配置され、その両端においてそれぞれ前記長手方向辺に装着される固定部１０を介して取り付けられている。
【００１９】
なお、それぞれの固定部１０による前記肩当て４およびハンドグリップ５の着脱は、該固定部１０に備えられたつまみ部１１の回転操作によって行うようになっている。
【００２０】
図４では、各肩当て４および各ハンドグリップ５は、図示に示した位置に取り付けているが、必ずしも、図示の位置に限定されることはなく、天板１の長手方向の任意位置にて自由に着脱することができるようになっている。
【００２１】
〈固定部１０の構造〉
図１は、前記付属物（肩当て４、ハンドグリップ５等）の天板１への取り付けがなされる固定部１０の構造を示す一部断面図である。
【００２２】
図１において、まず、天板１があり、この天板１の裏面であって該天板の平面的に観た外輪郭から若干の距離で隔った箇所に溝９が形成されている。この溝９は、該天板１の前記外輪郭に沿って環状的に形成されていてもよく、また、該環状部において一部のみに形成されていてもよい。
【００２３】
また、この溝９は頂上面を有する山形の断面を有して形成されている。換言すれば、前記溝９は、その開口の幅が底面の幅に対して大きく形成され、対向する各側壁面は前記開口側に至るに従い間隔が大きくなる傾斜（テーパ）を有するようになっている。
【００２４】
なお、この実施例では、前記溝９を境にして天板１の外方側における厚さは内包側における厚さよりも小さく形成されているが、これに限らず、天板１の外方側における厚さは内方側における厚さよりも大きく形成されていてもよく、さらには同じ厚さであってもよい。
【００２５】
前記天板１に取り付けられる前記付属品の固定部１０は、図１に示すように、前記天板１の平面的に観た周辺部において取り付けられるようになっている。
【００２６】
該固定部１０は、該天板１の表面から側面さらには裏面にまで延在する断面が“Ｃ”字状の支持材１２と、該支持材１２の前記天板１の表面に対向して形成された部分に螺合するネジ部１３とこのネジ部１３の天板側の端部に固定されたクッション部１４と反対側の端部に固定された前記つまみ部１１を備える螺合圧接部とから構成されている。
【００２７】
なお、前記支持材１２の天板１の裏面の端部には、前記溝９の互いに対向する側壁面のそれぞれに当接するアタッチメント１５が備えられている。
【００２８】
このように構成された固定部１０において、前記ネジ部１３をつまみ部１１によって回転させることにより、前記支持材１２に対して前記クッション部１４は天板１側へ推進し該天板１を圧接するようになる。
【００２９】
一方、前記ネジ部１３の回転によって前記支持材１２に作用する力は該支持材１２の天板の裏面の部分において該天板１を圧接するようになる。
【００３０】
前記支持材１２の天板１の裏面の端部は、上述したようにアタッチメント１５が備えられ、このアタッチメント１５は前記溝９の各側壁面を押圧するようになる。
【００３１】
この場合、前記溝９の各側壁面は、上述したように開口側に至るに従い間隔が大きくなる傾斜（テーパ）を有して形成されていることから、前記アタッチメント１５による押圧はそれらの間に隙間なく行うことができ、天板１に対する前記固定部１０の取り付けをいわゆるガタなく行うことができる。このことから、前記固定部１０を、天板１に対して強固に取り付けようとして天板１の中央部に必要以上にはりだしてしまう構成を回避でき、天板１の面を有効に活用できる効果も奏するようになる。このため、天板１上の被検体が横臥する充分なスペースを確保することができる。
【００３２】
なお、図１に示す構成において、前記クッション部１４の中心であって天板１との接触部Ａに対して、前記アタッチメント１５の前記溝９の各側壁面との接触部Ｂ、Ｃは天板１の中央側の方向（天板１の外周から離間する方向）に配置される位置関係を有している。このことは、固定部１０が天板１の外周側に外力を受け、前記接触部Ａを中心として図中α方向へ回転しようとしても、その回転は前記アタッチメント１５の前記溝９の各側壁面との接触部Ｂ、Ｃによって信頼性よく抑止されることになる。したがって、前記固定部１０が図中α方向に強い外力を受けても天板１から容易に外れないという効果を奏する。
【００３３】
上述した実施例では、図１にも明らかとなっているが、天板１の表面に当接（押圧）されるクッション部１４は、平面的に観た天板１の外輪郭からはみ出した部分を有している。たとえ、このように構成しても、前記アタッチメント１５が溝９内において押圧されることによって、前記固定部１０を天板１へのガタのない取り付けができるからである。
【００３４】
したがって、上述した構成において、固定部１０のクッション部１４をその全域にわたって天板１の表面に当接（押圧）させるように構成してもよいことはいうまでもない。
【００３５】
〈他の実施例〉
図５は、前記固定部１０の他の実施例を示す図で、図１に対応づけた概略構成図となっている。
【００３６】
図１の場合と比較して異なる構成は、天板１の裏面に形成した溝９の形状にある。すなわち、図１に示す溝９は、平坦な頂上面を有する山形の断面を有しているのに対し、図５に示す溝は、先鋭な頂上を有する山形の断面を有して形成されている。
【００３７】
天板１に取り付けられる固定部１０は、そのガタつきをなくすために、そのアタッチメント１５が該天板１に形成された溝９のうち傾斜して対向する各側壁面に当接（押圧）すればよく、該溝９の頂部において頂上面あるいは頂上を有していても、それがガタつき防止に直接に機能するものでないからである。
【００３８】
〈他の実施例〉
図６は、前記固定部１０の他の実施例を示す図で、図１に対応づけた概略構成図となっている。
【００３９】
図１の場合と比較して異なる構成は、天板の裏面に形成した溝９の形状にある。すなわち、図１に示す溝は、平坦な頂上面を有する山形の断面を有しているのに対し、図６に示す溝は、滑らかな形状の山形の断面を有して形成されている。
【００４０】
図５に示す実施例の場合と同様に、アタッチメント１５が該天板１に形成された溝９のうち傾斜して対向する各側壁面に当接（押圧）すればよいからである。
【００４１】
以上、実施例を用いて本発明を説明してきたが、これまでの各実施例で説明した構成はあくまで一例であり、本発明は、技術思想を逸脱しない範囲内で適宜変更が可能である。また、それぞれの実施例で説明した構成は、互いに矛盾しない限り、組み合わせて用いてもよい。
【図面の簡単な説明】
【００４２】
【図１】本発明によるＸ線診断装置の天板に付属物を固定させるための固定部の一実施例を示す構成図である。
【図２】本発明によるＸ線診断装置の一実施例を示す概略構成図である。
【図３】本発明によるＸ線診断装置の天板の一実施例を示す平面図である。
【図４】本発明によるＸ線診断装置の天板に付属物が固定さている状態を示した斜視図である。
【図５】固定部の他の実施例を示す概略構成図である。
【図６】固定部の他の実施例を示す概略構成図である。
【符号の説明】
【００４３】
１……天板、２……寝台、３……足置台、４……肩当て、５……ハンドグリップ、６……床、７……軸体、９……溝、１０……固定部、１１……つまみ部、１２……支持材、１３……ネジ部、１４……クッション部、１５……アタッチメント。
【図１】
0005303156.tif 000002
【図２】
0005303156.tif 000003
【図３】
0005303156.tif 000004
【図４】
0005303156.tif 000005
【図５】
0005303156.tif 000006
【図６】
0005303156.tif 000007